(57)【特許請求の範囲】
【請求項１】
搬送されるフィルム面が仮想平面と平行となり、かつ、搬送方向が互いに平行するよう並列配置された複数の搬送経路から送り出された写真フィルムを、その表裏を入れ換えた姿勢で単一の供給経路に送込むよう構成されている写真フィルム搬送機構であって、
前記複数の搬送経路から送り出された写真フィルムを、表裏を入れ換えた姿勢に設定して送り出す反転経路を、複数の搬送経路の夫々に対応して複数備えると共に、前記仮想平面と直交する方向視において、前記反転経路が前記搬送方向と直交する方向に写真フィルムを送り出すように構成され、夫々の反転経路からの写真フィルムを前記単一の供給経路に送り出す合流経路を備えている写真フィルム搬送機構。
【請求項２】
前記複数の反転経路が、前記対応する搬送経路から送り出された写真フィルムを巻き掛けた状態で案内する巻き掛け案内部材を備えて構成されると共に、
この複数の巻き掛け案内部材は、表裏を反転して送り出した写真フィルムが、前記仮想平面と直交する方向視で重なり合い、かつ、フィルム面と直交する方向で異なる位置関係に送り出されるように配置され、
前記供給経路の上流位置の前記合流経路には、前記複数の巻き掛け案内部材から送り出された写真フィルムの少なくとも１つをフィルム面と直交する方向に案内して合流させる合流部材を備えている請求項１記載の写真フィルム搬送機構。
【請求項３】
前記巻き掛け案内部材が、断面形状が半円状で棒状となる部材の外周に案内面を形成した構造であり、前記案内面は写真フィルムの幅方向での両端部に接触して写真フィルムを案内するように形成され、
前記仮想平面と直交する方向視において、前記搬送経路から写真フィルムが送られる方向を基準にして、前記複数の巻き掛け案内部材を、その長手方向が４５度となる傾斜姿勢で配置することにより、この巻き掛け案内部材から送り出される写真フィルムの送り出し方向を、前記仮想平面と直交する方向視で前記搬送方向と直交する方向に設定してある請求項２記載の写真フィルム搬送機構。
【請求項４】
前記複数の搬送経路からの写真フィルムを案内する導入経路が、前記仮想平面と平行姿勢となる同一平面上に形成され、これらの導入経路に対応して配置された巻き掛け案内部材の半円状の案内面を成す部位の直径を異ならせることにより、この巻き掛け案内部材から送り出される写真フィルムのフィルム面と直交する方向での位置を異ならせている請求項３記載の写真フィルム搬送機構。
【請求項５】
前記搬送経路が、１３５サイズと、２４０サイズとの写真フィルムに対応して２つ形成されている請求項１〜４のいずれか１項に記載の写真フィルム搬送機構。
【請求項６】
前記複数の搬送経路が、現像処理部で現像された写真フィルムを送り出す位置に配置されると共に、前記合流経路が、写真フィルムの画像情報を投影露光する投影露光用、あるいは、写真フィルムの画像情報を光電変換する光電変換用のフィルムキャリアに写真フィルムを送る位置に配置されている請求項１〜５のいずれか１項に記載の写真フィルム搬送機構。
【発明の詳細な説明】
【０００１】
【発明の属する技術分野】
本発明は、搬送されるフィルム面が仮想平面と平行となり、かつ、搬送方向が互いに平行するよう並列配置された複数の搬送経路から送り出された写真フィルムを、その表裏を入れ換えた姿勢で単一の供給経路に送込むよう構成されている写真フィルム搬送機構に関する。
【０００２】
【従来の技術】
上記のように構成される写真フィルムの搬送装置として、特開平１１‐２３１４３５号、あるいは、公報特開平１１‐２３１４９２号公報に示されるものが存在する。何れの従来の技術とも、写真フィルムの現像処理を行った後、その写真フィルムを投影露光を行うためのネガキャリアに送り、画像情報を印画紙に露光し、その印画紙を現像処理した後に送り出す処理を自動的に行う構成が記載されている。そして、夫々の従来の技術とも、現像処理部において、１３５サイズフィルム（３５ｍｍフィルム）と、２４０サイズフィルム（所謂、ＡＰＳフィルム）との搬送を行う経路を平行する形態で形成し、夫々の搬送経路から送り出された写真フィルムをネガキャリアに対して送込むための搬送装置を備えている。
【０００３】
具体的に説明すると、公報番号を挙げた従来の技術のうち前者では、フィルム現像・乾燥処理部に対して１３５サイズフィルム（３５ｍｍフィルム）と、２４０サイズフィルム（所謂、ＡＰＳフィルム）との搬送を行う搬送経路を形成し、この搬送経路の出口位置から送り出されたフィルムを受け取り、横方向に移動して、受け取ったフィルムをネガマスクの挿入口に送り込む移送部が記載され、この移送部が写真フィルム搬送機構に対応する。
【０００４】
公報番号を挙げた従来の技術のうち後者では、１３５サイズフィルム（３５ｍｍフィルム）の挿入部と、２４０サイズフィルム（所謂、ＡＰＳフィルム）の挿入部とを有し、夫々の挿入部からフィルムプロセッサ内にフィルムを搬送する２つの現像処理レーンを形成し、フィルムプロセッサの夫々現像処理レーンの出口部から送り出されたフィルムを受け取り、横方向に移動してネガマスクに送り込む移送機構が記載され、この移送機構が写真フィルム搬送機構に対応する。
【０００５】
これらの従来技術では特に説明されていないが、現像処理を行う際には写真フィルムの乳剤面に現像処理液が効率的に作用するよう、写真フィルムの乳剤面の方向を設定しており、通常の現像処理では、現像処理を終了した際には乳剤面が上向きで現像処理部から排出される。又、ネガキャリアの上部から光線を照射して下方に配置された印画紙に対して露光を行う構造の露光装置では、ネガキャリアに対して乳剤面を下側に向けて写真フィルムを供給する必要がある。これらの理由から、公報番号を挙げた２つの従来の技術では写真フィルムの表裏を入れ換えるものとなっている。そして、写真フィルムの表裏を入れ換える操作は、ネガキャリア（フィルムキャリア）の上方から光線を照射し、下方位置に配置した光電変換素子で画像情報を取得する構造のスキャナーを備えた場合にも必要とする技術である。
【０００６】
【発明が解決しようとする課題】
写真撮影に使用されるフィルムとして１３５サイズの写真フィルムと、２４０サイズのフィルムと２種類が一般的であり、公報番号を挙げた従来の技術でも、この２種類の写真フィルムの現像処理を行えるよう構成されている。しかしながら、従来の技術のように現像処理後の写真フィルムをネガマスク（フィルムマスク）に送るために現像処理後の写真フィルムを受け取り、横方向に作動した後に送り出す機構は、構造的に複雑であるばかりか、故障も発生しやすく改善の余地がある。
【０００７】
本発明の目的は、複数列の搬送経路から送り出される写真フィルムを、その表裏を入れ換えた姿勢で単一の搬送経路に送り出す搬送機構を合理的に構成する点にある。
【０００８】
【課題を解決するための手段】
本発明の請求項１に係る写真フィルム搬送機構の特徴、作用・効果は次の通りである。
〔特徴〕
搬送されるフィルム面が仮想平面と平行となり、かつ、搬送方向が互いに平行するよう並列配置された複数の搬送経路から送り出された写真フィルムを、その表裏を入れ換えた姿勢で単一の供給経路に送込むよう構成されている写真フィルムの搬送装置において、前記複数の搬送経路から送り出された写真フィルムを、表裏を入れ換えた姿勢に設定して送り出す反転経路を、複数の搬送経路の夫々に対応して複数備えると共に、前記仮想平面と直交する方向視において、前記反転経路が前記搬送方向と直交する方向に写真フィルムを送り出すように構成され、夫々の反転経路からの写真フィルムを前記単一の供給経路に送り出す合流経路を備えている点にある。
【０００９】
〔作用・効果〕
上記特徴によると、複数の搬送経路の何れか１つから送り出された写真フィルムは反転経路で表裏を入れ換えた姿勢で送り出され、搬送方向と直交する姿勢の合流経路から単一の供給経路に送り出されるものとなる。つまり、搬送経路からの写真フィルムは反転経路で表裏を入れ換えられた状態で直交する方向に搬送方向が変換されて反転経路に送られるので、写真フィルムを幅方向に移動させるための専用の手段を備えずに済むばかりで無く、夫々の反転経路同士を接近させるよう構成可能な合流経路を備えるだけで写真フィルムを供給経路に送り出せるものとなる。その結果、アクチュエータや可動部材を全く用いない構造でありながら、複数の搬送経路からの写真フィルムの表裏を入れ換えた姿勢で、単一の供給経路に送り得る装置が合理的に構成されたのである。
【００１０】
本発明の請求項２に係る写真フィルム搬送機構の特徴、作用・効果は次の通りである。
〔特徴〕
請求項１記載の写真フィルム搬送機構において、前記複数の反転経路が、前記対応する搬送経路から送り出された写真フィルムを巻き掛けた状態で案内する巻き掛け案内部材を備えて構成されると共に、この複数の巻き掛け案内部材は、表裏を反転して送り出した写真フィルムが、前記仮想平面と直交する方向視で重なり合い、かつ、フィルム面と直交する方向で異なる位置関係に送り出されるように配置され、前記供給経路の上流位置の前記合流経路には、前記複数の巻き掛け案内部材から送り出された写真フィルムの少なくとも１つをフィルム面と直交する方向に案内して合流させる合流部材を備えている点にある。
【００１１】
〔作用・効果〕
上記特徴によると、複数の搬送経路の何れに写真フィルムを送った場合でも、対応する反転経路に備えた巻き掛け案内部材が写真フィルムの表裏を反転させて送り出し、複数の巻き掛け案内部材の何れからの写真フィルムも、重なり合う位置に送り出されるので、合流経路に備えた合流部材において、フィルム面と直交する方向に案内されることにより単一の供給経路に送り出せるのである。
【００１２】
本発明の請求項３に係る写真フィルム搬送機構の特徴、作用・効果は次の通りである。
〔特徴〕
請求項２記載の写真フィルム搬送機構において、前記巻き掛け案内部材が、断面形状が半円状で棒状となる部材の外周に案内面を形成した構造であり、前記案内面は写真フィルムの幅方向での両端部に接触して写真フィルムを案内するように形成され、前記仮想平面と直交する方向視において、前記搬送経路から写真フィルムが送られる方向を基準にして、前記複数の巻き掛け案内部材を、その長手方向が４５度となる傾斜姿勢で配置することにより、この巻き掛け案内部材から送り出される写真フィルムの送り出し方向を、前記仮想平面と直交する方向視で前記搬送方向と直交する方向に設定してあるている点にある。
【００１３】
〔作用・効果〕
上記特徴によると、巻き掛け案内部材を搬送経路の数に対応した数を搬送経路に傾斜する平行姿勢で備えることにより、夫々の搬送経路からの写真フィルムを、搬送方向と直交する方向に向けて、重なり合う位置に送り出せるものとなり、また、この巻き掛け案内部材で写真フィルムを案内する場合にも、写真フィルムの幅方向での両端部に案内面が接触するので、写真フィルムの画像情報を保護できる。
【００１４】
本発明の請求項４に係る写真フィルム搬送機構の特徴、作用・効果は次の通りである。
〔特徴〕
請求項３に記載の写真フィルム搬送機構において、前記複数の搬送経路からの写真フィルムを案内する導入経路が、前記仮想平面と平行姿勢となる同一平面上に形成され、これらの導入経路に対応して配置された巻き掛け案内部材の半円状の案内面を成す部位の直径を異ならせることにより、この巻き掛け案内部材から送り出される写真フィルムのフィルム面と直交する方向での位置を異ならせている点にある。
【００１５】
〔作用・効果〕
上記特徴によると、複数の搬送経路の何れに写真フィルムが送られる場合でも、同一平面上に写真フィルムが送られる形態となり、複数の搬送経路に対応する巻き掛け案内部材で写真フィルムの表裏を反転させた後には、この巻き掛け案内部材の案内面を成す部位の直径が異なるので、夫々の巻き掛け案内部材から送り出される写真フィルムを、そのフィルム面の厚さ方向での位置を異ならせることが可能となる。
【００１６】
本発明の請求項５及び請求項６に係る写真フィルム搬送機構の特徴、作用・効果は次の通りである。
〔特徴〕
前記搬送経路が、１３５サイズと、２４０サイズとの写真フィルムに対応して２つ形成されている点、及び、前記複数の搬送経路が、現像処理部で現像された写真フィルムを送り出す位置に配置されると共に、前記合流経路が、写真フィルムの画像情報を投影露光する投影露光用、あるいは、写真フィルムの画像情報を光電変換する光電変換用のフィルムキャリアに写真フィルムを送る位置に配置されている点にある。
【００１７】
〔作用・効果〕
上記特徴によると、１３５サイズと２４０サイズとの２種類の写真フィルムに対応して、夫々の写真フィルムを反転させて合流させて送り出し得るものとなる。その結果、使用頻度が高い２種の写真フィルムを良好に処理でき、また、現像処理部で現像処理された写真フィルムは搬送経路から送り出され、この複数の搬送経路の何れから送り出されたものでも、合流経路を介してフィルムキャリアに送り、投影露光の処理、あるいは、光電変換処理を行うことが可能となる。その結果、幅が異なる写真フィルムを現像処理部の異なるレーンで処理した後に搬送経路から送り出す構造のものであっても、夫々の搬送経路からの写真フィルムをフィルムキャリアに送って必要な処理を行えるものとなる。
【００１８】
【発明の実施の形態】
以下、本発明の実施の形態を図面に基づいて説明する。
図１〜図３に示すように、銀塩式の長尺の写真フィルム１（以下、フィルムと略称する）の現像処理を行う現像処理部Ｄと、現像処理部Ｄで現像されたフィルム１の表裏を入れ換えた姿勢で搬送方向を平面視で９０度変更するフィルム搬送機構Ｆと、このフィルム搬送機構Ｆからのフィルム１の画像情報を光電変換してデジタル信号として取込むスキャナ部Ｓと、スキャナ部Ｓでスキャニングされた後のフィルム１が排出される回収部Ｅと、制御ユニットＣとを筐体２に備えてフィルムプロセッサが構成されている。このフィルムプロセッサは現像処理部Ｄで現像された写真フィルム１の複数のコマ画像の画像情報をデジタル信号化して連続的に取込んで制御ユニットＣに保存し、銀塩式や、昇華型や、インクジェット型のプリンター（図示せず）に転送することにより、所謂、同時プリントとしてプリントすることを可能にするものである。
【００１９】
本フィルムプロセッサは図３に示す如く、オペレータＯＰが位置する側を前面とすると、筐体２の右側の端部で、かつ、筐体２の前面に位置するオペレータＯＰが手を伸ばせば届く位置にフィルム導入部Ｄａを形成し、このフィルム導入部Ｄａに連なる筐体内部に前記現像処理部Ｄを配置し、筐体２の左側の部位に前記スキャナ部Ｓを配置し、このスキャナ部Ｓの前面側に回収部Ｅを配置することによって、筐体２に右側の端部からフィルム１を左側に向けて送り、現像処理の後に、オペレータＯＰが位置する側（手前側）にフィルム１の送り方向を変更した後に、スキャナ部Ｓで画像情報を取込み、この画像情報を取込んだ後のフィルム１を筐体２の前面の回収部Ｅに送り出すようフィルム１の搬送経路が形成されている。
【００２０】
又、このフィルムプロセッサは、フィルム導入部Ｄａと隣接する位置に各種の情報を入力するキーボードＫＢを配置し、オペレータＯＰが筐体２の前面側に位置する状態で、前述したフィルム導入部Ｄａに対するフィルム１のセットや、キーボードＫＢの操作や、回収部Ｅに送り出されたフィルム１の取出し等の必要な操作を行えるようにして、筐体２の背面側と、左面側とを壁面Ｗに近接させる位置への設置を可能にしている。
【００２１】
前記フィルム導入部Ｄａは、支軸３ａ周りで揺動自在に備えた蓋体３で開閉される空間４にフィルムマガジンＭをセットできるよう構成してあり、現像処理部Ｄは、フィルム導入部Ｄａからのフィルム１を搬送ユニット（図示せず）で搬送しながら現像処理を行う現像処理槽Ｄｂと、この現像処理槽Ｄｂで現像されたフィルム１にブロア５からの乾燥風を供給して乾燥処理を行う乾燥部Ｄｃと、乾燥されたフィルムを送り出す排出部Ｄｄとを備えて構成されている。
【００２２】
図面には示さないが、フィルム導入部Ｄａには１３５サイズのフィルム（３５ｍｍ版フィルム）のフィルムマガジンＭと、２４０サイズのフィルム（所謂、ＡＰＳフィルム）のフィルムマガジンＭとをセットする装着部が形成され、何れかの装着部にフィルムマガジンＭがセットされた状態で、そのフィルムマガジンＭからフィルム１を引出す機構と、このフィルムマガジンＭから引き出されたフィルム１の端部を検出して切断、あるいは、分離する機構とを備えている。又、この前記現像処理部Ｄは、フィルム導入部Ｄａから排出部Ｄｄに亘って１３５サイズ用と、２４０サイズ用の搬送経路Ｒ１、Ｒ２が２列で平行する状態で形成され、排出部Ｄｄにおいて夫々のフィルム１は、乳剤面を上向きにしてフィルム面が水平姿勢（水平姿勢の仮想平面と平行となる姿勢）で送り出される。
【００２３】
前記フィルム搬送機構Ｆは、図６〜図８に示すように、フレーム８に対して前記搬送経路Ｒ１からの１３５サイズのフィルム１と、前記搬送経路Ｒ２からの２４０サイズのフィルム１とを受け入れる導入経路Ｇ１、Ｇ２を平行姿勢で形成した導入ガイド９を備えると共に、夫々の導入経路Ｇ１、Ｇ２からのフィルム１の表裏を入れ換えた姿勢で、かつ、搬送方向を平面視で９０度変更した状態で送り出す反転経路Ｆａを備え、夫々の反転経路Ｆａからのフィルム１を合流させるよう、搬送下手側で合流する構造の上下一対の合流経路Ｊを形成した合流部材１０を備えて構成され、この合流経路ＪからのフィルムＦを、後述するフィルムキャリアの単一の供給経路Ｋに送り出すよう構成されている。
【００２４】
前記導入ガイド９の夫々の導入経路Ｇ１、Ｇ２に対して搬送経路Ｒ１、Ｒ２からのフィルム１を送るようフィルム１の幅方向での両端部に圧着する複数の導入ローラ１１を備えている。この導入ローラ１１は図外のモータから駆動力で回転駆動するよう構成されると共に、搬送速度より高速度でのフィルム１の引き出しを許す一方向クラッチ（図示せず）を介して動力が伝えられるよう構成されている。尚、本フィルムプロセッサでは夫々の搬送経路Ｒ１、Ｒ２に対して同時にフィルム１を送る形態での処理は行われず、一方の搬送経路Ｒ１、Ｒ２に対してのみフィルム１を送るものとなっている。
【００２５】
前記反転経路Ｆａは断面が半円形状で、平面視（搬送経路に送られるフィルム面と直交する方向視）において、その長手方向が導入経路Ｇ１、Ｇ２に対し４５度で傾斜する姿勢で配置された支持部材１５にフィルムの幅方向での端部に対して厚み方向から接触する案内面１６ａ、１６ａを形成した巻き掛け案内部材１６を巻き付ける形態で取付けて構成され、１３５サイズのフィルム１に対応する巻き掛け案内部材１６の円弧面を成す部位の直径を、２４０サイズのフィルム１に対応する巻き掛け案内部材１６の円弧面を成す部位の直径より大きい値に設定することにより、反転経路からのフィルム１の送り出し位置（レベル）をフィルム面と直交する方向で異ならせ、かつ、フィルム面と直交する方向視で（平面視で）重複する位置関係に設定し、又、平面視で、フィルム１の送り出し側の経路の中心位置Ｐを一致させている。
【００２６】
前記スキャナ部Ｓは、フィルム１を搬送するフィルムキャリア２０と、このフィルムキャリア２０に対して、アーム２１に内蔵したグラスファイバーや樹脂ファイバーで成る光学繊維２２を介して上方側から光線を導く光源２３と、フィルムキャリア２０にセットされたフィルム１を透過した光線をスリット（図示せず）を介して光学レンズ２４に導き、この光学レンズ２４からＣＣＤラインセンサ２５に導く構造のスキャナユニットＳＵとを備えている。そして、このスキャナユニットＳＵでフィルム１の画像情報を取込む位置を前記中心位置Ｐの延長上に設定してある。
【００２７】
図４及び図５に示すように、前記フィルムキャリア２０は、ケーシング２０Ａの内部にキャリアユニット２０Ｂを収納して構成されている。つまり、ケーシング２０Ａに対して前記供給経路Ｋを形成し、この供給経路Ｋの延長上に排出経路Ｌが形成された排出経路部材１９を備え、又、キャリアユニット２０Ｂは１３５サイズのフィルム１を送る搬送経路ｒ１と、２４０サイズのフィルム１を送る搬送経路ｒ２とを形成し、夫々の搬送経路ｒ１、ｒ２にはフィルムを圧着搬送する複数のローラ（図示せず）を備え、このキャリアユニット２０Ｂを夫々の搬送経路ｒ１、ｒ２と直交する方向にスライド作動させるアクチュエータ（図示せず）を備えている。そして、供給経路Ｋを介してフィルムキャリア２０にフィルム１が供給された場合には、そのフィルム１のサイズに基づいて図５（イ）、（ロ）に示す如く、キャリアユニット２０Ｂをスライド作動させることにより、フィルム１のサイズに対応した搬送経路ｒ１、ｒ２をスキャナユニットＳＵの上方位置（中心位置Ｐ）に位置させるものとなっている。
【００２８】
このスキャナ部Ｓでフィルム１の画像情報のスキャニングを行う際には、キャリアユニット２０Ｂに備えたローラでフィルム１を設定速度で搬送しながら、そのフィルム１の画像情報をフィルム１の幅方向（主走査方向）に沿ったライン状の画像情報をＣＣＤラインセンサ２５で順次取込む処理が行われ、このスキャニングの際のフィルム１の搬送速度を導入経路Ｇ１、Ｇ２でフィルム１を搬送する速度より僅かに高く設定してあるので、前記一方向クラッチによってフィルムキャリア２０へのフィルム１を引き込む作動を円滑に行える。
【００２９】
前記回収部Ｅは、フィルムキャリア２０から排出経路部材１９を介して排出されたフィルム１を受け止める位置に支軸２６周りで開閉自在に備えた透明な樹脂製のストックケース２７で構成され、この回収部Ｅに対してフィルムキャリア２０から排出されたフィルム１を受け止める状態で回収し、取出す場合には支軸２６周りでストックケース２７の姿勢を変更できるものとなっている。
【００３０】
このように構成したので、フィルム１の処理を行う際には、フィルム導入部Ｄａに対してフィルムマガジンＭをセットし、キーボードＫＢから必要な情報を入力して処理を開始することにより、そのフィルムマガジンＭから引き出されたフィルム１を現像処理槽Ｄｂに送って現像処理を行い、乾燥部Ｄｃで乾燥を行った後に現像処理部Ｄから送り出される。このように送り出されるフィルム１は乳剤面が上向きであり、１３５サイズ、２４０サイズの何れのサイズであっても、フィルム搬送機構Ｆで表裏を入れ換えた姿勢で（乳剤面を下向きにした姿勢で）単一の供給経路Ｋを介してフィルムキャリア２０に送り込まれる。そして、このフィルムキャリア２０に送り込まれたフィルム１の画像情報はスキャナ部Ｓでデジタル信号化された状態で取り込まれ、制御ユニットＣ内の半導体メモリやハードディスク等に保存され、この後、外部のプリンターに転送される。
【００３１】
フィルム搬送機構Ｆでは、フィルム１の搬送方向を変更するためや、フィルム１の表裏を入れ換えるためのアクチュエータや可動部材を特別に備えていない構造でありながら、１３５サイズ、２４０サイズのフィルム１が異なる搬送経路から送込まれても、そのフィルム１を送るだけで、そのフィルム１の表裏を入れ換えると共に、送り出し方向を９０度変更し、単一の供給経路Ｋからスキャナ部Ｓのフィルムキャリア２０に供給し、このスキャナ部Ｓでスキャニングされたフィルム１は筐体２の前面側に備えた回収部Ｅのストックケース２７に回収できるものとなっている。
【００３２】
〔別実施の形態〕
本発明は上記実施の形態以外に、例えば、フィルムキャリアに送られたフィルムの画像情報を印画紙に投影露光するよう処理形態が設定されているプロセッサに適用することが可能であり、フィルム搬送機構の搬送経路を３つ以上備えて構成することも可能である。
【００３３】
特に本発明は、写真フィルム搬送機構は、現像処理を行う以前の写真フィルムを送るための搬送系や、長尺のフィルムを設定されたコマ数ずつに切断してフィルムシートに挿入する装置において、フィルムを搬送するための搬送系に使用することも可能である。
【図面の簡単な説明】
【図１】フィルムプロセッサの斜視図
【図２】フィルムプロセッサにおけるフィルムの搬送経路を示す斜視図
【図３】フィルムプロセッサの平面図
【図４】スキャナ部の構成を示す断面図
【図５】フィルムキャリアの搬送経路を切換えた状態を示す断面図
【図６】フィルム搬送機構の平面図
【図７】反転経路を示す断面図
【図８】反転経路と合流部材との位置関係を示す断面図
【符号の説明】
１              写真フィルム
１６            巻き掛け案内部材
１６ａ          案内面
２０            フィルムキャリア
Ｄ              現像処理部
Ｆａ            反転経路
Ｊ              合流経路
Ｋ              供給経路
Ｒ１、Ｒ２      搬送経路
【図１】
0003605761.tif 000002
【図２】
0003605761.tif 000003
【図３】
0003605761.tif 000004
【図４】
0003605761.tif 000005
【図５】
0003605761.tif 000006
【図６】
0003605761.tif 000007
【図７】
0003605761.tif 000008
【図８】
0003605761.tif 000009